(57)【要約】      （修正有）【課題】設置場所のスペースに合わせて切断できる簀の子を提供する。【解決手段】所定の間隔で複数本平行に並べられそれぞれが複数の第１の貫通孔２６を有する簀の子部材２と、前記簀の子部材の間に介在し第２の貫通孔４６を有するスペーサー４と、前記簀の子部材の第１の貫通孔と前記スペーサーの第２の貫通孔とを貫通する連結部材３とからなる簀の子において、前記簀の子部材及び前記スペーサーと前記連結材とを前記第１の貫通孔及び第２の貫通孔の少なくとも一方で接着する接着剤を備える。これにより、隣り合った簀の子部材とスペーサーの間で前記連結部材を切断することによって、任意の位置で簀の子を所定の長さに切断することができる。【選択図】図１
0003109400.tif 000002
【実用新案登録請求の範囲】
【請求項１】
所定の間隔で複数本平行に並べられそれぞれが複数の第１の貫通孔を有する簀の子部材と、前記簀の子部材の間に介在し第２の貫通孔を有するスペーサーと、前記簀の子部材の第１の貫通孔と前記スペーサーの第２の貫通孔とを貫通する連結部材とからなる簀の子において、
前記簀の子部材及び前記スペーサーと前記連結部材とを第１の貫通孔及び第２の貫通孔の少なくとも一方で接着する接着剤を備え、
隣り合った簀の子部材とスペーサーの間で前記連結部材を切断することによって任意の位置で簀の子部材とスペーサーとを分離できることを特徴とする簀の子。
【請求項２】
前記連結部材は、てぐす、凧糸であることを特徴とする請求項１又は請求項２に記載の簀の子。
【請求項３】
請求項１又は請求項２に記載の簀の子において、
さらに、前記簀の子部材の表面から前記第１の貫通孔に至る第１の孔と、前記第１の孔に嵌挿された第１の留め具とを備え、
前記第１の留め具の先端部が前記第１の貫通孔を貫通する前記連結部材を押圧することにより、前記簀の子部材を前記連結部材に固着することを特徴とする簀の子。
【請求項４】
請求項１乃至請求項３のいずれかに記載の簀の子において、
さらに、前記スペーサーの表面から前記第２の貫通孔に至る第２の孔と、前記第２の孔に嵌挿された第２の留め具とを備え、
前記第２の留め具の先端部が前記第２の貫通孔を貫通する前記連結部材を押圧することにより、前記スペーサーを前記連結部材に固着することを特徴とする簀の子。
【考案の詳細な説明】
【技術分野】
【０００１】
本考案は、設置場所のスペースに合わせて切断できる簀の子を提供する。
【背景技術】
【０００２】
従来、押し入れ、食器棚、下駄箱、風呂場、玄関、台所（以下、押し入れ等）に使用される簀の子は、切断して長さを決定するものはなく、設置場所のスペースに合わせた固定のサイズのものが使用されている。これら固定サイズの簀の子は、収納するときも固定サイズのままで収納するため、邪魔である。
【０００３】
そこで、特許文献１及び特許文献２に示すように、固定サイズの簀の子を狭い場所に収納できるものが提案された。
【０００４】
特許文献１に示されるものは、連結部材としてワイヤーを用い、スペーサーとして柔軟性のあるものを用いるものである。これにより、簀の子を使用しないときには、簀の子を巻き取り、簀の子を狭い場所に収納できる。
【０００５】
特許文献２に示されるものは、簀の子部材にファスナーを設けているものである。これにより、簀の子を使用しないときには、簀の子部材を取り外し、簀の子を狭い場所に収納できる。
【特許文献１】特開２００３―６１８９７号公報
【特許文献２】実案登録第３０８７７３８号公報
【考案の開示】
【考案が解決しようとする課題】
【０００６】
しかしながら、特許文献１及び特許文献２に示されるものは、簀の子の設置場所のスペースに合わせて、簀の子を切断するものではない。
【０００７】
本考案は、上述の従来の課題に鑑み、設置場所のスペースに合わせて切断できる簀の子を提供することを目的とする。
【課題を解決するための手段】
【０００８】
上述の課題を解決するために、所定の間隔で複数本平行に並べられそれぞれが複数の第１の貫通孔を有する簀の子部材と、前記簀の子部材の間に介在し第２の貫通孔を有するスペーサーと、前記簀の子部材の第１の貫通孔と前記スペーサーの第２の貫通孔とを貫通する連結部材とからなる簀の子において、前記簀の子部材及び前記スペーサーと前記連結部材とを第１の貫通孔及び第２の貫通孔の少なくとも一方で接着する接着剤を備え、隣り合った簀の子部材とスペーサーの間で前記連結部材を切断することによって、所定の長さの簀の子を得ることができることを特徴とする。
【０００９】
好ましくは、連結部材は、てぐす、凧糸であることを特徴とする。
【００１０】
好ましくは、前記簀の子において、前記簀の子部材の表面から前記第１の貫通孔に至る第１の孔と、前記第１の孔に嵌挿された第１の留め具とを備え、前記第１の留め具の先端部が前記第１の貫通孔を貫通する前記連結部材を押圧することにより、前記簀の子部材を前記連結部材に固着することを特徴とする。
【００１１】
好ましくは、前記簀の子において、前記スペーサーの表面から前記第２の貫通孔に至る第２の孔と、前記第２の孔に嵌挿された第２の留め具とを備え、前記第２の留め具の先端部が前記第２の貫通孔を貫通する前記連結部材を押圧することにより、前記スペーサーを前記連結部材に固着することを特徴とする。
【考案の効果】
【００１２】
本考案によれば、所定の間隔で複数本平行に並べられそれぞれが複数の第１の貫通孔を有する簀の子部材と、前記簀の子部材の間に介在し第２の貫通孔を有するスペーサーと、前記簀の子部材の第１の貫通孔と前記スペーサーの第２の貫通孔とを貫通する連結部材とからなる簀の子において、前記連結部材は、接着剤によって前記簀の子部材の第１の貫通孔及び前記スペーサーの第２の貫通孔の少なくとも一方で接着される。これにより、隣り合った簀の子部材とスペーサーの間で前記連結部材を切断することによって任意の位置で簀の子部材とスペーサーとを分離し、所定の長さの簀の子を得ることができる。
【００１３】
また、本考案によれば、連結部材は、てぐす、凧糸とすることにより、連結部材を容易に切断できる。
【００１４】
また、本考案によれば、前記簀の子部材の表面から前記第１の貫通孔に至る第１の孔と、前記第１の孔に嵌挿された第１の留め具とを備え、前記第１の留め具の先端部が前記第１の貫通孔を貫通する前記連結部材を押圧することにより、前記簀の子部材を前記連結部材に固着する。これにより、簀の子部材と連結部材の接着剤が、何らかの不測の事情により、はずれたとしても、簀の子部材が連結部材と離れることはない。
【００１５】
また、本考案によれば、前記スペーサーの表面から前記第２の貫通孔に至る第２の孔と、前記第２の孔に嵌挿された第２の留め具とを備え、前記第２の留め具の先端部が前記第２の貫通孔を貫通する前記連結部材を押圧することにより、前記スペーサーを前記連結部材に固着する。これにより、スペーサーと連結部材の接着剤が、何らかの不測の事情により、はずれたとしても、スペーサーが連結部材と離れることはない。
【考案を実施するための最良の形態】
【００１６】
第１実施形態．
以下、本考案の実施の形態について、図面を参照しながら説明する。図１（Ａ）及び図１（Ｂ）は本考案の第１実施形態の簀の子を示す図である。
【００１７】
簀の子１は、図１（Ａ）に示すように、所定の間隔で複数本（図１（Ａ）では１２本）並べられそれぞれが複数の貫通孔２ｂを有する簀の子部材２と、簀の子部材の間に介在し貫通孔４ｂを有するスペーサー４と、連結部材３の貫通孔２ｂとスペーサー４の貫通孔４ｂとを貫通する連結部材３とからなり、連結部材３は簀の子部材２の貫通孔２ｂ及びスペーサー４の貫通孔４ｂの少なくとも一方で接着される。
【００１８】
簀の子１を所望の場所に設置するときには、簀の子１を設置場所のスペースに合わせ、連結部材３を切断する。このように、簀の子１は、図１（Ｂ）に示すように、簀の子１ａと簀の子１ｂとに分離することができる。簀の子１ａは、所定の間隔で複数本（図１（Ｂ）では８本）並べられた簀の子部材２と、簀の子部材２の間に介在したスペーサー４と、簀の子部材２の貫通孔２ｂとスペーサー４の貫通孔４ｂとを貫通する連結部材３とからなる簀の子である。簀の子１ｂは、所定の間隔で複数本（図１（Ｂ）では４本）並べられた簀の子部材２と、簀の子部材２の間に介在したスペーサー４と、簀の子部材２の貫通孔２ｂとスペーサー４の貫通孔４ｂとを貫通する連結部材３とからなる簀の子である。
【００１９】
図２は、本考案の第１実施形態の簀の子を説明する図である。図２において、簀の子部材２とスペーサー４は両端部及び中央部の３箇所で連結部材３によって貫通され、その連結部材３は簀の子部材２とスペーサー４に接着剤を用いてそれぞれが接着されている。簀の子部材２は、その間に挿入されたスペーサー４により等間隔に並べられている。
【００２０】
図３は、本考案の第１実施形態の簀の子における簀の子部材２とスペーサー４を説明する図である。簀の子部材２の底面部は、図３（Ａ）に示すように、溝部２ａが形成されている。これにより、簀の子部材２が床面に設置されると、簀の子部材２と床面との間に隙間が形成され、簀の子部材２と床面間に空気の流れる経路が確保される。簀の子部材２の両縁８は、図３（Ａ）に示すように、特に、足がひっかかりやすり部分であるために大きく面取りされている。また、簀の子部材２の角部７も、図４（Ａ）及び図４（Ｂ）に示すように、足が載せられたときに怪我をしないように面取り加工されている。
【００２１】
なお、簀の子部材２は、床面との接触が３箇所でなく、２箇所で床面に接触するような溝部２ａを形成しても良い。また、簀の子部材２には、例えば、竹を用いると良い。これは、竹には、抗菌作用があり、竹が簀の子部材２として使用されると、簀の子自体として抗菌効果を発揮するからである。また、簀の子部材２は、押し入れに使用されるものであれば、長さ７００ミリ程度のものを用いるとし、食器棚、下駄箱に使用されるものであれば、長さ２８０ミリ程度のものが好ましい。
【００２２】
連結部材３は、てぐす、凧糸を用いるのが好適である。これらの部材は、カッターで簡単に切断できる材料であるからである。
【００２３】
スペーサー４は、図３（Ｂ）に示すように、角形をしている。スペーサー４の中心部には、連結部材３を貫通させる貫通孔４ｂを有する。また、スペーサー４が角形をしていることにより、スペーサー４の側面部全体が簀の子部材２の側面部に接する。そのため、簀の子１が設置されたときに、簀の子部材２が傾くことはなく、簀の子１は歪まない。
【００２４】
次に、第１実施形態における簀の子部材２又はスペーサー４と、連結部材３との接着について、図４（Ａ）を用いて説明する。図４（Ａ）は、本考案の第１実施形態における要部を説明する断面図である。簀の子部材２及びスペーサー４は、図４（Ａ）に示すように、それぞれ貫通孔２ｂ及び貫通孔４ｂが設けられ、連結部材３がそれらの貫通孔２ｂ、４ｂを貫通している。簀の子部材２に設けられた貫通孔２ｂでは、連結部材３が簀の子部材２と接着剤２ｃで接着されている。これにより、簀の子部材２は、連結部材３と分離することはない。スペーサー４に設けられた貫通孔４ｂでは、連結部材３がスペーサー４と接着剤４ｃで接着されている。これにより、スペーサー４は、連結部材３と分離することはない。
【００２５】
第２実施形態．
次に、第２実施形態における簀の子部材２又はスペーサー４と、連結部材３との接着について、図４（Ｂ）を用いて説明する。図４（Ｂ）は、本考案の第２実施形態における要部を説明する断面図である。図５は、本考案の第２実施形態の簀の子を示す図である。簀の子部材２及びスペーサー４は、図４（Ｂ）に示すように、それぞれ貫通孔２ｂ及び貫通孔４ｂが設けられ、連結部材３がそれらの貫通孔２ａ、２ｂを貫通している。
【００２６】
さらに、簀の子部材２及びスペーサー４は、図４（Ｂ）及び図５に示すように、それぞれ孔２ｄ及び孔４ｄが設けられている。簀の子部材２に設けられた孔２ｄには、留め具２ｅが嵌挿されている。留め具２ｅの先端部２ｆは、貫通孔２ｂ内で、連結部材３を押圧し、連結部材３が簀の子部材２から抜けないようになっている。スペーサー４に設けられた孔４ｄには、留め具４ｅが嵌挿されている。留め具４ｅの先端部４ｆは、貫通孔４ｂ内で、連結部材３を押圧し、連結部材３がスペーサー４から抜けないようになっている。これにより、簀の子１を使用中に、強い衝撃を受けるなどの不測の事情で、接着剤２ｃ又は接着剤４ｃがはずれたとしても、簀の子部材２又はスペーサー４が、連結部材３と分離することはない。
【００２７】
なお、連結部材３は、上述した接着手段に限られず、何らかの別の手段で、簀の子部材２又はスペーサー４に接着されても良い。
【００２８】
簀の子１を所定の位置で２つの簀の子（簀の子１ａと簀の子２ｂ）に切り離すときには、簀の子部材２とスペーサー４との隙間の切断面Ｘにカッターを入れ、連結部材３をカッターで切断する。また、切断面Ｘにおいて、連結部材３は簀の子部材２と同一の平面になり、連結部材３は切断面Ｘから飛び出さない。また、簀の子部材２とスペーサー４との隙間は、１ミリ弱程度あればよい。
【００２９】
本考案は、上述した実施形態に限定されるものではなく、この考案の要旨を逸脱しない範囲内で様々な変形や応用ができる。
【産業上の利用可能性】
【００３０】
また、本考案は、押し入れ等で使用される外、布団の下に敷いて用いるなど様々な場所や用途に使用できる。
【図面の簡単な説明】
【００３１】
【図１】本考案の第１実施形態の簀の子を示す図である。
【図２】本考案の第１実施形態の簀の子を説明する図である。
【図３】本考案の第１実施形態の簀の子における簀の子部材とスペーサーを説明する図である。
【図４】（Ａ）  本考案の第１実施形態の要部を説明する断面図である。（Ｂ）  本考案の第２実施形態の要部を説明する断面図である。
【図５】本考案の第２実施形態の簀の子を示す図である。
【符号の説明】
【００３２】
１、１ａ、１ｂ  簀の子
２  簀の子部材
３  連結部材
４  スペーサー
２ａ  溝部
２ｂ、４ｂ  貫通孔
２ｃ、４ｃ  接着剤
２ｄ、４ｄ  孔
２ｅ、４ｅ  留め具
２ｆ、４ｆ  先端部
７  角部
８  縁部
【図１】
0003109400.tif 000003
【図２】
0003109400.tif 000004
【図３】
0003109400.tif 000005
【図４】
0003109400.tif 000006
【図５】
0003109400.tif 000007